Podtech/llm-jp-corpus-v4-ja_patent huggingface dataset:
(57)【要約】      （修正有）【課題】より多くの種類のアイスクリームを同時に提供できる冷蔵装置内の仕切り枠を提供する。【解決手段】冷蔵装置内に冷蔵容器を配置する仕切り枠０１であって、仕切り枠０１の内側底面に設けた第１のアイスクリーム容器固定部０２ａと、仕切り枠０１の内側底面から段差０３をつけて設けた第２のアイスクリーム容器固定部０２ｂとからなり、冷蔵容器を立体的に配置する。【選択図】図１
0003217080.tif 000002
【実用新案登録請求の範囲】
【請求項１】
レストラン等の施設においてアイスクリームをセルフサービスの形態で提供するための冷蔵装置内に配設される仕切り枠についての考案であり、アイスクリームを提供するための容器が平面上に配置された場合に出来てしまう場所を仕切り枠であって、底面に段差を設け立体的に配置する事により多くのアイスクリームの種類を同時に提供できる様に考案された冷蔵装置内の仕切り枠。
【考案の詳細な説明】
【技術分野】
【０００１】本考案は、アイスクリームを提供するための冷蔵装置内に配設される仕切り枠をより多くのアイスクリームの種類を同時に提供できる冷蔵装置内の仕切り枠に関する。
【背景技術】
【０００２】レストラン等においてセルフサービスで提供されるアイスクリームの容器はサイズを統一して販売されており、冷蔵装置内の仕切り枠に配置した場合、容器の大きさによっては無駄になってしまう部分が出来てしまうことがある。【０００３】アイスクリームをセルフサービスで提供する為の冷蔵装置内には、複数種類のアイスクリームがお客が自分で好みの量を取れるように仕切り枠の上に配置させれおり、仕切り枠の下には、仕切り枠の上のアイスクリームの補充用のアイスクリームが貯蔵されている。【０００４】なお、本出願人は、本考案に関連する先行技術については、本出願時においてその存在を知らない。
【考案の概要】
【考案が解決しようとする課題】
【０００５】レストラン等において提供されるアイスクリームの容器はサイズを統一して販売されており、冷蔵装置内の仕切り枠に配置された場合、無駄になってしまう部分を活用出来るようにすることを目的とする。
【課題を解決するための手段】
【０００６】本考案にかかるアイスクリーム提供用冷蔵装置内の仕切り枠は平面的に配置された場合の無駄になる部分を有効活用するため容器を立体的に配置させる事を特徴とする。
【考案の効果】
【０００７】本考案にかかるアイスクリーム提供用冷蔵装置内の仕切り枠は平面的に配置された場合たとえば２個しか配置できなかったものを容器を立体的に配置させる事により３個以上配置できるようにする事が出来る。
【図面の簡単な説明】
【０００８】
【図１】本考案にかかわるアイスクリーム提供用冷蔵装置内の仕切り枠全体の概略の構成を示す図である。
【図２】本考案にかかるアイスクリーム提供用冷蔵装置内の仕切り枠のテスト状態の図である。
【考案を実施するための形態】
【０００９】以下、添付する図面を参照しつつ本考案にかかるアイスクリーム提供用冷蔵装置内の仕切り枠の実施形態を説明する。
【００１０】図１は本考案にかかるアイスクリーム提供用冷蔵装置内の仕切り枠の全体の概略の構成を示した図である。
図２は本考案にかかるアイスクリーム提供用冷蔵装置内の仕切り枠のテスト状態の図である。
【００１１】図２のようにアイスクリームは仕切り枠の上に配置される。
【００１２】図２でわかるようにアイスクリームの容器が重なっている部分があり、平面的に配置した場合は２種類しか配置出来ないが、立体的に段差を持って配置させることにより３種類のアイスクリームを配置することが出来ている。
【００１３】図１に図示するような構造によりアイスクリーム提供用冷蔵装置内の仕切り枠は一体型で構成されている。
【００１４】図１に図示したアイスクリーム提供用冷蔵装置内の仕切り枠は全体が冷蔵装置内に配設される事の出来るサイズであり、仕切り枠０１により冷蔵装置内に固定されて使用する。
【００１５】アイスクリーム容器固定部０２ａとアイスクリーム容器固定部０２ｂによりアイスクリームは冷蔵装置内の仕切り枠に固定されている。
【００１６】アイスクリーム容器固定部０２ａは平面上に配置されているが、アイスクリーム容器固定部０２ｂは段差０３のサイズだけ立体的に配置されており、この段差０３を設けることによりアイスクリーム容器を効率的に配置させることが出来る。
【００１７】図１及び図２とは上下を逆にして段差０３がアイスクリーム容器固定部０２ｂが下側になるように構成されることもある。
【産業上の利用可能性】
【００１８】本考案にかかるアイスクリーム提供用冷蔵装置内の仕切り枠はアイスクリームの提供という用途以外にも同様の構成を用いることで他の商品提供の機器の産業分野において利用できる。
【符号の説明】
【００１９】０１・・・仕切り枠
０２ａ・・・アイスクリーム容器固定部
０２ｂ・・・アイスクリーム容器固定部
０３・・・段差
【図１】
0003217080.tif 000003
【図２】
0003217080.tif 000004
【手続補正書】
【提出日】平成30年4月27日(2018.4.27)
【手続補正１】
【補正対象書類名】実用新案登録請求の範囲
【補正対象項目名】全文
【補正方法】変更
【補正の内容】
【実用新案登録請求の範囲】
【請求項１】
冷蔵装置内に冷蔵容器を配置する仕切り枠であって、前記仕切り枠の内側底面に設けた第１のアイスクリーム容器固定部と、前記仕切り枠の内側底面から段差をつけて設けた第２のアイスクリーム容器固定部とからなり、冷蔵容器を立体的に配置することを特徴とするアイスクリーム提供用冷蔵装置内の仕切り枠。
(57)【要約】      （修正有）【課題】多くのサイズに適切に対応して装着することができ、視認性が向上し、歩行者、自転車走行車の安全確保の向上をはかることができる反射バンドを提供する。【解決手段】光を効率的に反射する再帰反射機能部材２を弾性資材１からなるバンドの中央に具備し、面ファスナー３、４を再帰反射機能部材の上下に配置し、腕または足首に容易に巻き付く構造であり、面ファスナーの配置により装着可能なサイズが１６ｃｍから３０ｃｍまで対応して適切な位置に容易に装着できる。【選択図】図１
0003217079.tif 000002
【実用新案登録請求の範囲】
【請求項１】
ゴム等の弾性資材の一面の中央に光を効率的に反射する再帰反射機能部材を具備し、面ファスナーを再帰反射機能部材を挟むように上下に定着して成る装着時のサイズ調整が容易な反射バンド
【考案の詳細な説明】
【技術分野】
【０００１】
本考案は、腕または足に巻き付けられるようにした反射バンドで、夜間の車や自転車のライトがあたった時に反射バンドから光を反射して運転者に注意を喚起して、歩行者や自転車走行車の安全を確保するための反射バンドに関するものである。
【背景技術】
【０００２】
従来例として、自転車の利用者、歩行者、道路上作業者などは、夜間において車の通行により常に危険にさらされている状況の中で蛍光ベスト、アームバンド等がある。
【考案の概要】
【考案が解決しようとする課題】
【０００３】
しかし、前記のような従来の反射バンドでは、装着するサイズが限定され適正なサイズでないため正しい位置で反射バンドが固定できない。そのため反射バンドを装着していても、車のライト等による反射が運転者等に対して適切に反射せず注意喚起することができない。
【課題を解決するための手段】
【０００４】
上記従来の課題を解決するため、従来の反射バンドに対して、光を効率的に反射する再帰反射機能部材をバンド中央に具備しており、面ファスナーを再帰反射機能部材の上下に配置し、腕または足首に容易に巻き付く構造かつ、面ファスナーの特徴的な配置により装着可能なサイズが１６ｃｍから３０ｃｍまで対応しており適切な位置に容易に装着することができる。
【考案の効果】
【０００５】
簡単な構成のリストバンドでありながら、面ファスナーを特徴的に配置することにより多くのサイズに適切に対応して装着することができ、再帰反射機能部材による光の反射効果が高められて視認性が向上し、この反射バンドをつけた歩行者、自転車走行車の安全確保の向上をはかることができる。
【図面の簡単な説明】
【０００６】
【図１】本考案の反射バンドの平面図である。
【実施例】
【０００７】
この反射バンドを腕、足等に巻き付ける。巻き付けるサイズの調整幅が大きいので夏季における服装、冬季における服装においても適切に装着することができる。散歩、ランニングのみだけでなく通勤、通学、塾の往復などに使用することができる。
【符号の説明】
【０００８】
１  弾性資材  ２  再帰反射機能部材  ３、４  面ファスナー
【図１】
0003217079.tif 000003
(57)【要約】      （修正有）【課題】横方向風洞と通気ダクトが連結し、貯雪施設内の雪氷塊から安定した冷気を取り出すことができる熱交換装置を提供する。【解決手段】貯雪施設１０内に戻り空気を放出せず、通気ダクト２４を床面まで伸ばし固定し、施設１０内床面に有孔蓋２２付の床溝２３を束ねる横溝２１へ連結し、この横溝２１から戻り空気を有孔蓋２２付き床溝２３へ分配する熱交換装置２０とする。【選択図】図１
0003217025.tif 000002
【実用新案登録請求の範囲】
【請求項１】
冷熱を供給する貯雪施設内の空間に、冷蔵若しくは冷房対象施設の戻り空気を放出せず、通気ダクトを床面まで伸ばしこれを固定、施設内床面に有孔蓋付の溝を束ねる大きな横溝へ連結し、この横溝から戻り空気を有孔蓋付きの空気が通り抜ける床溝へ分配し雪氷塊底面と熱交換する装置
【考案の詳細な説明】
【技術分野】
【０００１】  本実用新案は、貯雪施設内の雪氷塊から安定した冷気を取り出す装置である。
【背景技術】
【０００２】  雪氷塊表面に暖かい空気を吹付けると熱交換され冷たい空気となる。
【先行技術文献】
【０００３】
【実用新案文献】
登録第３１８２７３１号  横方向風洞形成の雪氷冷熱交換装置
【実用新案の概要】
【実用新案が解決しようとする課題】
【０００４】  貯雪施設内の通気ダクトから戻された暖かい空気は、吹出し口から放出され施設内床面の溝に向かう流れと、上層に向かう流れが発生し天井面で滞留することで、小屋裏からの熱伝導で更に温度が高くなり、貯雪施設内の雪氷の消費を促し短絡回路の発生原因にもなった。
【０００５】  必要な戻り空気の分の熱交換だけではなく、上層部の暖かい空気も吸い込み戻り空気と混合し、雪氷塊底面で余分な熱交換を強いられた。
【課題を解決するための手段】
【０００６】  貯雪施設内の空間に戻り空気を放出せず、通気ダクトを床面まで伸ばし固定し、施設内床面に有孔蓋付の床溝を束ねる大きな横溝へ連結し、この横溝から戻り空気を有孔蓋付きの空気が通り抜ける床溝へ分配する熱交換装置とする。
【実用新案の効果】
【０００７】  通気ダクトと横溝を経由し床溝を連結することで、必要分の熱交換となり貯雪量の減少が緩やかになり、床溝上に半円状の風洞が速やかに形成されることで、短絡回路の発生も防止できる。
【図面の簡単な説明】
【０００８】
【図１】実施形態に係る熱交換装置の送風回路を例示する図である。
【実用新案を実施するための形態】
【０００９】  図１は本実用新案に係る横方向風洞形成の雪氷冷熱交換装置の一実施形態を示すもので、１０は貯雪施設、２０は雪氷冷熱交換装置、３０は冷蔵若しくは冷房対象施設である。
【００１０】  貯雪施設１０には、降積雪を投入した雪氷塊１１を収納する。
【００１１】  雪氷冷熱交換装置２０には、貯雪施設１０の床面に横溝２１と有孔蓋２２をのせた空気が通り抜ける床溝２３を設ける。
【００１２】  冷蔵若しくは冷房対象施設３０から通気ダクト２４を経由して戻された暖かい空気２５は、貯雪施設床面に設けられた横溝２１に、還気送風機２６の動力により吹き出される。
【００１３】  吹き出された空気は、貯雪施設１０の床面に設けられた複数の床溝２３に給気送風機２７により吸い込まれる。
【００１４】  吸い込まれた空気は有孔蓋２２から漏れ出し、雪氷塊１１の下部を融解し半円状の風洞２８を形成する。
【００１５】  この半円状の風洞２８内で、暖かい空気２５は熱交換され冷たい空気２９となり、冷蔵若しくは冷房対処施設３０に供給される。
【符号の説明】
【００１６】    １０  貯雪施設
１１  雪氷塊
２０  雪氷冷熱交換装置
２１  横溝
２２  有孔蓋
２３  床溝
２４  通気ダクト
２５  暖かい空気
２６  還気送風機
２７  給気送風機
２８  風洞
２９  冷たい空気
３０  冷蔵若しくは冷房対象施設
【図１】
0003217025.tif 000003
(57)【要約】      （修正有）【課題】長手方向の片側縁部の全長にわたって所定の幅を突出させたテープ貼付け部を形成して素早くテープ貼付け部を壁面などに沿わしてテープで接合することが出来る養生シートを提供する。【解決手段】長尺の養生シート１の全域にコロナ処理を施し、幅方向に順次に山折りして蛇腹状に小さく折り畳んで心材２に巻き取り、養生シート１の長手方向の片側の側縁部の全長にわたって所定の幅を突出させてテープ貼付け部３を形成したものである。【選択図】図１
0003217023.tif 000002
【実用新案登録請求の範囲】
【請求項１】
長尺の養生シートを幅方向に小さく折り畳んで心材に巻き取って成る養生シートにおいて、前記養生シートの長手方向の片側の側縁部の全長にわたって所定の幅を突出させたテープ貼付け部を形成したことを特徴とする養生シート。
【請求項２】
前記養生シートの両面の全域にコロナ処理を施したことを特徴とする請求項１記載の養生シート。
【考案の詳細な説明】
【技術分野】
【０００１】  本考案は、室内等の壁、床、天井等の対象物に配置され、当該対象物に汚れ等が付着することを防止するために用いられる養生シートに関するものである。
【背景技術】
【０００２】  従来の技術としては、長尺の養生シートは、紙管を心材にしてこれをロール状に巻き取られており、壁面などの養生には、養生シートを巻き戻して所定長さに切断し、側縁部を壁面に沿わしてテープで接合する。すでに壁面などに接合された養生シートの側縁部に重ね合わせ、その重ね合わせた両面をテープで接合するものである。。又、小さく折り畳んで心材にロール状に巻き取った短尺の養生シートは、薄いフイルム状のものであるため側縁部も密着し重なり合った状態になっている。また従来の長尺、短尺の養生シートには片面だけにコロナ処理が施されている。
【先行技術文献】
【０００３】
【特許文献】
【特許文献】特開平６−１７９２４５号  公報
【考案の概要】
【考案が解決しようとする課題】
【０００４】  従来、長尺の養生シートは、心材にロール状に巻き取られているので、持ち運びや保管が困難な上、狭い作業現場に於いて長尺は取り扱いが不便であった。また長尺のため短尺に比べて運搬のコストが高くつく。また小さく折り畳んで心材にロール状に巻き取った養生シートは、薄いフイルム状のものであるため側縁部も重なり合って密着している為に養生シートの側縁部が剥がれにくく、剥がすのに多大の手間がかかった。さらに従来の養生シートには片面だけにコロナ処理が施されているので、施工時には絶えずコロナ処理が施されている面が表面に来ているか確認作業をしなければならない事が多々ある。
【課題を解決するための手段】
【０００５】  上記問題を達成するために、本考案の養生シートは、長尺の養生シートの幅方向に小さく折り畳んで心材に巻き取って成る養生シートにおいて、前記養生シートの長手方向の片側の側縁部の全長にわたって所定の幅を突出させたテープ貼付け部を形成して、養生シートの両面の全域にコロナ処理を施し問題を解決したものである。
【考案の効果】
【０００６】  従来の短尺の養生シートは、薄いフイルム状の長尺の養生シートを幅方向に小さく折り畳んで心材にロール状に巻き取っており、養生シートは薄いフイルム状のものであるため養生シートの側縁部も重なり合い密着している為に側縁部が剥がれにくかったが、本考案の養生シートは長手方向の片側縁部の全長にわたって所定の幅を突出させたテープ貼付け部を形成しているので、一目でテープ貼付け部が確認出来て素早くテープ貼付け部を壁面に沿わしてテープで接合することが出来るので、重なり合い密着している縁部を剥がす煩わしい手間が省けるので作業効率が大幅に良くなる。【０００７】  また、従来の養生シートは片面にしかコロナ処理が施されていなかったが、本考案の養生シートは表裏の全面の全域にコロナ処理が施されているので、施工時に養生シートの表裏の煩わしい確認作業をしなくても、素早くにテープの接合の作業に着手出来るので作業効率が良い。【０００８】  さらに、上記のように本考案の短尺の養生シートは、長尺の養生シートを幅方向に小さく折り畳んで心材に巻き取っているので、養生シートを折り畳むこともなく巻きとつた長尺の養生シートと比べると、ロールの径が少し太くなるものの、ロールの長さが約１／６になるので、狭い作業現場に於いては作業、保管、取り扱いが便利である。【０００９】  そして、本考案の短尺の養生シートは、長尺のシートと比べてロールの長さが約１／６となりコンパクトなので段ボール輸送が出来るので、長尺のシートに比べると運搬費用が大幅に軽減される。【００１０】  なお、本考案の養生シートは、長尺の養生シートを幅方向に順次に山折りして蛇腹状に小さく折り畳んで心材に巻き取っているので、養生シートを所定長さに切断しテープ貼付け部を壁面に沿わしてテープで接合し、養生シートの幅方向に引っ張れば、養生シートは簡単に開くことが出来る。
【図面の簡単な説明】
【００１１】
【図１】  本考案の斜視図である。
【図２】  本考案の一部切欠正面図である。
【考案を実施するための形態】
【００１２】  本考案は、長尺の養生シートの全域にコロナ処理を施し、幅方向に順次に山折りして蛇腹状に小さく折り畳んで心材に巻き取り、養生シートの長手方向の片側の側縁部の全長にわたって所定の幅を突出させてテープ貼付け部を形成したものである。以下、添付図面に従って一実施例を説明する。
【実施例】
【００１３】  図１及び図２は本考案の案斜視図と一部切欠正面である。
１は養生シートであって、長尺の養生シートの両面にコロナ処理が施されており、幅方向に順次に山折りして蛇腹状に小さく折り畳んで心材２に巻き取っている。３はテープ貼付け部であって、養生シート１の長手方向の片側の側縁部の全長にわたって所定の幅を突出させている。【００１４】  本考案は以上の構成であるから、壁面などの養生には、養生用シート１を巻き戻して所定長さに切断し、テープ貼付け部３を壁面に沿わしてテープで接合し、かつ、養生シート１の幅方向に向っ張ると幅方向に順次に山折りして蛇腹状に小さく折り畳んでいた、養生シート１が難なく広がり、広がった養生シート１部分は静電気の作用で保護面に張り付きます。この既に壁面などに接合された養生シート１の他側縁部にテープ貼付け部３をオーバーラップさせて、その重ね合わせの両面をテープで接合し、順次に側縁部をオーバーラップして、壁面などの所定範囲に養生シートを敷き詰めるようにしている。
【産業上の利用可能性】
【００１５】  本考案は、養生シートを製造する産業で利用される。
【符号の説明】
【００１６】１  養生シート
２  心材
３  テープ貼付け部
【図１】
0003217023.tif 000003
【図２】
0003217023.tif 000004
(57)【要約】      （修正有）【課題】枯葉を掃いた時に、一緒に入ってしまう小石、砂利、砂、又は、水を効率良く短時間で排除できる枯葉とりを提供する。【解決手段】塵取り本体１に小石、砂利、砂を振い落す必要がなく自然落下させる穴２と、水を流す穴３を空ける。手軽に枯葉のみを回収する事ができる。【選択図】図１
0003217542.tif 000002
【実用新案登録請求の範囲】
【請求項１】
塵取りの底板部分に大きめの穴を空けて、次にその穴の間を中央部分にずらして同様の穴を空けて複数列にして、小石、砂利、砂を振るい落とす必要がなく自然落下させる、又、底板後方部分には小さめの穴を空けて最後に水を流して余分なものを排除する事ができる枯葉とり
【考案の詳細な説明】
【技術分野】
【０００１】  本考案は、塵取りに穴を空けて枯葉のみを回収するものである。
【背景技術】
【０００２】  庭先等で、枯葉を掃いた時に塵取りに枯葉以外の小石、砂利、砂、水が一緒に入ってしまう。
【考案の概要】
【考案が解決しようとする課題】
【０００３】  枯葉のみを回収する場合に、それ以外の余分なものを分別するのに時間的、労働的負担であった。従って枯葉を掃いたと同時に枯葉のみを回収するものである。
【課題を解決するための手段】
【０００４】  本考案は、余分なものを排除するために塵取りの先端部分に３５ミリの穴を３個空けて、その穴の間を中央部分にずらして直径３５ミリの穴を２個空けて小石、砂利、砂を落とす。又、底板後方部分に直径１０ミリの穴を空けて最後に水を流す事により問題点を解決している。
【考案の効果】
【０００５】  本考案の枯葉とりは、塵取りの底板先端部分と中央部分にやや大きめの穴を空けた事により、枯葉を掃いた時にその勢いで軽い枯葉は後方部分に集まり余分な小石、砂利、砂は、その穴に振るい落す必要がなく自然落下する。又、底板後方部分に小さめの穴を空けて最後に水を流して面倒な枯葉とりが短時間で手軽に枯葉のみを回収する事ができる。
【図面の簡単な説明】
【０００６】
【図１】本考案の枯葉とりの実施例を示す正面図である、
【図２】本考案の枯葉とりの斜視図である。
【考案を実施するための形態】
【０００７】  耐久性が良く、軽量なポリプロピレン製で後方部分が深めの塵取りで底板先端部分から３０ミリの位置に４５ミリも間隔で直径３５ミリの穴を３個空けて、次にその穴の間を１０ミリ中央部分にずらして直径３５ミリの穴を２個空ける。又、底板後方部分から１０ミリの位置に１５ミリの間隔で直径１０ミリの穴を７個空ける。尚、穴を空けた事により軽量になり、又、枯葉のみを回収するもので、耐久性には問題はない。
【実施例】
【０００８】  以下、添付図面に従って実施例を説明する。１はポリプロピレン製の素材にて形成された枯葉とり本体、２は小石、砂利、砂を落下させる穴、３は水を流す穴、４は紐やフックを掛ける穴、５は持った時に親指が収まるくぼみである。
【符号の説明】
【０００９】１  枯葉とり本体
２  ３５ミリの穴
３  １０ミリの穴
４  掛け用の穴
５  くぼみ
【図１】
0003217542.tif 000003
【図２】
0003217542.tif 000004
(57)【要約】      （修正有）【課題】トレーニングをした際の視覚的変化が顕著であり、かつ自らの好みに合わせて外観を変えることができることで、変化に富み楽しいトレーニングに貢献するウォーターパンチバッグを提供する。【解決手段】外装材を中の水が見える透明のものにすることで、注入した水に塗料やグリッターを混ぜて視覚的な変化を作り出すことができる。また、水の揺れ具合等から自分の打撃の様子を感覚的に把握することができる。このように練習における視覚効果に大きく貢献する。【選択図】図１
0003217548.tif 000002
【実用新案登録請求の範囲】
【請求項１】
外装材を従来の中材が見えないものではなく、中材が見えるようになっている表面が透明なウォーターパンチバッグ。
【考案の詳細な説明】
【技術分野】
【０００１】
本考案は格闘技等のトレーニングに好適に使用される吊り下げ型のパンチバッグにおいて、材質の表面を透明にした物に関する。また、従来のような綿材や芯材、砂といった中材を備えずに水と空気を封入するようにしたウォーターパンチバッグに関わるものである。
【背景技術】
【０００２】
先行技術文献の実用新案文献１に挙げられるような水を封入するウォーターパンチバッグは基本的に中材である水は見えないようになっている。
【先行技術文献】
【特許文献】
【０００３】
【特許文献１】実登３２１６１２２
【考案の概要】
【考案が解決しようとする課題】
【０００４】
実用新案１のようなウォーターパンチバッグの外装材は中の水が見えるものではない為、トレーニングを行う上で視覚的な変化が乏しかった。
【０００５】
また、複数の種類をいくつも保持するような物品では無い為、気分を変える為に新しく違う色のものを購入するというのは難しい。
【０００６】
本考案は、以上のような従来の問題に鑑み、トレーニングをした際の視覚的変化が顕著であり、かつ自らの好みに合わせて外観を変えることができることで、変化に富み楽しいトレーニングに貢献するウォーターパンチバッグを提供することを目的とする。
【課題を解決するための手段】
【０００７】
本考案にかかる表面が透明なウォーターパンチバッグは、実用新案文献１のウォーターパンチバッグを改良したものであり、外装材を従来のような中の水が見えないものではなく、透明なものにしている。
【０００８】
外装材は実用新案文献１で用いられるものと同等の強度を有する。
【考案の効果】
【０００９】
本考案に用いられる外装材は透明なものである。従って、中の水の様子が目で確認できるものになっている。
【００１０】
このことから、例えば水を入れた場合、打撃に応じて中の水が跳ねたり揺れたりするため、自らの打撃の威力を感覚的に把握することができる。
【００１１】
また、中の水に塗料やグリッターを入れることで、自らの好みの外観にアレンジすることができる。外観を変えたいと思った場合は中の水を入れ替えて、別の塗料等を混ぜれば良い。
【００１２】
蛍光塗料を用いたり、薬液を利用して衝撃を与えると色が変わるような工夫を凝らせば単なるトレーニングに限らず、パフォーマンスの道具としての使用が可能になる。
【００１３】
以上から、自分のトレーニングの様子を感覚的に把握したり視覚的変化を加えることが容易になる為、トレーニングの際のモチベーションの維持に貢献する。また、トレーニング用具以外の用途にも使用することができるという可能性を提示する。
【図面の簡単な説明】
【００１４】
【図１】考案の全体図を示す。
【考案を実施するための形態】
【００１５】
注水部の２の蓋を外して、そこから水を注入する。水は満杯まで入れなくても良いし、余ったスペースに空気を入れても良い。また、注入した水に塗料やグリッターを混ぜても良い。中材を封入し終えたらバッグ本体に固着した補強材３に吊り下げ部を取り付け任意の場所に吊るし、バッグ本体に拳を当てる等のトレーニングを行う。
【符号の説明】
【００１６】
１  バッグ本体
２  注水部
３  補強材
【図１】
0003217548.tif 000003
(57)【要約】      （修正有）【課題】幼児や子供、あるいは、年配者にとっても使用しやすいものであり、特に、和服着用時において食事を摂る際に使用することにより、当該和服への飲食物の付着を予防することができるナプキンを提供する。【解決手段】ナプキン１は、平面状のナプキン１の上辺の中央から下辺へ向かって切込１２を設け、この切込１２により生じる上端１３を衣類の襟元の襟の中に差し込み可能な２つの略三角形とした。【選択図】図２
0003217543.tif 000002
【実用新案登録請求の範囲】
【請求項１】
平面状のナプキンの上辺の中央から中心へ向かって切込を設け、この切込により生じる上端を衣類の襟元の襟の中に差し込み可能な２つの略三角形としたことを特徴とするナプキン。
【考案の詳細な説明】
【技術分野】
【０００１】  本考案は、例えば、和服着用時において食事を摂る際に使用することにより、当該和服への飲食物の付着を予防することができるナプキンに関する。
【背景技術】
【０００２】  衣類への飲食物の付着を防ぐナプキンとして、紙ナプキン若しくはファッションペーパーの裏面上部に複数の粘着部を設け、粘着部の表面に剥離紙を設けたものがある（特許文献１参照）。【０００３】  また、首掛けに必要な形状をなす線材を一辺に縫い込んだ、装着するに首の後ろで結ぶ必要が無い脱着容易なものがある（特許文献２参照）。
【先行技術文献】
【特許文献】
【０００４】
【特許文献１】実開平７−３０８４５号公報
【特許文献２】特開２００３−６４５０３号公報
【考案の概要】
【考案が解決しようとする課題】
【０００５】  斯かる先行技術文献では、事前にナプキンへ粘着部の装着（特許文献１）や線材を縫い込む（特許文献２）などの追加部品を設ける作業、および、ナプキンの使用時においては、粘着部の剥離紙を剥がす（特許文献１）、首に合わせてナプキンを調整しながらセットする（特許文献２）手間が必要であり、特に和服着用時において食事を摂る際には、困難を伴うものであった。
【課題を解決するための手段】
【０００６】  本考案は、このような問題を解決するために、平面状のナプキンの上辺の中央から中心へ向かって切込を設け、この切込により生じる上端を衣類の襟元の襟の中に差し込み可能な２つの略三角形としたことを特徴とするナプキンである。
【考案の効果】
【０００７】  本考案に係るナプキンは、和服着用時において食事を摂る際に、和服の半襟に差し込むだけで使えるため、ナプキンへ追加部品を設ける必要がなく、首の位置を確認しながら装着する必要もないことから、簡便に使用することができるものであり、特に和服着用時において食事を摂る際に使用することにより、極めて容易かつ効果的に使用することができるナプキンである。【０００８】  また、ナプキンへ追加部品を設ける必要がないことから、ナプキン製造業者が簡単に量産可能であり、更に、ナプキンの使用者にとっても、ナプキンの存在を意識することなく外観上もすっきりとした着用姿で食事を摂ることができる。
【図面の簡単な説明】
【０００９】
【図１】  本考案の実施例を示す平面図である。
【図２】  同上の使用前を示す平面図である。
【図３】  同上の使用状態を示す説明図である。
【考案を実施するための形態】
【００１０】  本考案に係るナプキンは、平面状のナプキンの上辺の中央から中心へ向かって切込を設け、この切込により生じる上端を衣類の襟元の襟の中に差し込み可能な２つの略三角形としており、量産や使用が容易となる。
【実施例】
【００１１】  以下、添付図面に基づいて本考案の実施例を説明する。【００１２】  各図において、１は、上、下辺１０、１１が一般的な大きさである４５〜５０センチメートルの矩形状の布製のナプキンであり、使用時には上端に位置する上辺１０の中央から下辺１１へ向かって（中心へ向かって）切込１２を入れており、その切込１２により生じる上端１３を小さな２つの略三角形としている。【００１３】  また、ナプキン１の使用時には縦方向に位置する左、右辺２０、２１の長さを上、下辺１０、１１の２倍程度（９０センチメートル）にしており、使用者は、和服の襟元で上端１３を内側へ略三角形に折って襟の身体側へ差し込むことで、ナプキン１をセットできるものであり、図３（ａ）は、使用前、同（ｂ）は、使用時を示している。【００１４】  このような構成により、ナプキン１の製造が容易に行えると共に、使用者の利用も簡便で、しかも和服着用時の外観を大きく損なうことなく使用でき、食器の取り扱いにも悪影響を及ぼす心配が少ないものである。【００１５】  なお、本考案に係るナプキン１は、上述したように和服着用時において食事を摂る際に使用することに有利であるが、これに限らず洋服着用時にも同様に適用可能であることは言うまでもなく、衣類の襟元に装着することで使用することができる。【００１６】  また、ナプキン１の材質は、布製に限らず紙製でも良く、平面形状は、矩形状に限らず、多角形や円形などの任意の形状とすることができる。【００１７】  本考案に係るナプキン１は、幼児や子供、あるいは、年配者にとっても使用しやすいものであり、使用者の性別や年代を問わず広く使用することができる。
【符号の説明】
【００１８】１  ナプキン
１０、１１  上、下辺
１２  切込
１３  上端
２０、２１  左、右辺
【図１】
0003217543.tif 000003
【図２】
0003217543.tif 000004
【図３】
0003217543.tif 000005
(57)【要約】      （修正有）【課題】天秤の枝の先端に浮体を付けて、天秤の先が、海底で立つ様にし、ハリスを少し浮かす事により、餌を潮流に浮遊させて、魚を誘う釣果を持たせた天秤を提供する。【解決手段】天秤の枝４が基部の螺旋部５で天秤本体６に着合し回転出来る様にして、又は、天秤本体６とオモリ９の着合を関節状にして、枝４の先に設けた浮体３の浮力で、枝が海底で起き上がる様にした。【選択図】図１
0003217518.tif 000002
【実用新案登録請求の範囲】
【請求項１】
天秤の枝２の先端部近くに浮体３を設け、浮体３の浮力により天秤の枝４を海底で直立する様にした天秤。
【考案の詳細な説明】
【技術分野】
【０００１】  投げ釣り用の天秤。
【考案の解決しようとする課題】
【０００２】  通常投げ釣りに於いては、海底でハリスやエサを引きずる状態にあり、擦れにより消耗や、根掛りの原因となっていた、天秤枝４を浮かす事により、この欠点を無くす事と、ハリスを海底より浮かす事により、餌が浮遊し、又は躍らせて魚により氣付かれ易くする事に有る。
【考案の課題を解決する手段】
【０００３】  天秤の枝２が自在に起き上がれる様に、枝４が基部の螺旋部５で着合し回転出来る様にし、或いは、天秤本体６とオモリ９の着合を関節状にして、枝４の先端が浮体３の浮力により立ち上がる様にして、ハリスを海底より浮す事の出来るものである。
【考案の効果】
【０００４】  ハリスを海底より浮かす事により、エサの摩耗や根掛りを減らす事が出来、エサを潮流に漂わせて、或いは、小刻みに引いて躍らせて、魚の餌付きを良くし、釣果を上げる事が出来る。
【図面の簡単な説明】
【０００５】
【図１】第１図は、第１例を示す正面図。
【図２】第２図は、第２例で、天秤の枝４先部分の正面図。
【考案を実施しするための形態】
【実施例】
【０００６】  第１図は、枝４が基部の螺旋部５で着合していて回転出来ると共に、天秤本体６とオモリ９の着合が関節状に成っていて、枝４の先端が浮体３により起き上がり易くなっているもので、ハリス環１を通して浮体３を付け、基部の方にズレない様に曲がり部１０を設け、ハリス環１より抜け落ちない様に止め輪２を設けたもので、浮体３は止め輪を外す事で付け外しが出来るものである。
第２図の例は、ハリス環１の近くに止め部１１にて浮体を固定して設けたものである。
【符号の説明】
【０００７】１    ハリス環      ２    止め輪      ３    浮体        ４    枝
５    螺旋部        ６    本体        ７    道糸環      ８    サルカン
９    オモリ        １０  曲がり部    １１  止め部
【図１】
0003217518.tif 000003
【図２】
0003217518.tif 000004
(57)【要約】      （修正有）【課題】天秤の横に直角に延びる枝を、折たたみ出来る様にして、収納し易くし、携帯に便利にしたオモリ付き天秤を提供する。【解決手段】天秤枝２の基部を巻いて螺旋部４を設けるとともに、天秤本体８の基部の環６をオモリ３に埋め込み、折返して折り返部５を設けて、ここに螺旋部４を堅嵌めして着合して直角に固定し、使用状態とする。使用後は螺旋部４を外して、本体に設けたクランク状部７に移動して、枝を回動して、天秤本体に平行にする。【選択図】図１
0003217517.tif 000002
【実用新案登録請求の範囲】
【請求項１】
天秤の枝２の基部を巻いた螺旋部４を設け、天秤本体８の基部の環１０を形成して折り返した折り返部５に、堅嵌めに着合して使用可能の状態にし、天秤の本体８の一部にクランク状部７を設け、収納時に螺旋部４をクランク状部７に移動回動して、天秤の枝２を本体８に平行にする事の出来る様にした天秤。
【考案の詳細な説明】
【技術分野】
【０００１】  収納に便利な天秤。
【考案の解決しようとする課題】
【０００２】  直角に出張って取り付けられた天秤の枝２を、本体８に平行に出来る事により、使用方法が簡単で、収納・制作を容易にする事に有る。
【考案の課題を解決する手段】
【０００３】  直角に出張る天秤の枝２基部の螺旋部４を、天秤本体８の一部に設けたランク状部７に移動回動して、天秤の枝２を天秤の本体８に、平行に収まる様にするものである。
【考案の効果】
【０００４】  使用方法が簡単で、収納及び携帯に便利で、制作が簡単で容易である。
【図面の簡単な説明】
【０００５】
【図１】第一図は、使用する状態の正面図。
【図２】第二図は、折りたたんだ状態の正面図。
【考案を実施しするための形態】
【０００６】
【実施例】
【０００７】    天秤の枝２の基部を巻いて螺旋部４を設け、天秤本体８の基部を折り返して環１０を設けてオモリに鋳込み、その折り返部５に、本体８に対して、枝２が直角に螺旋部４で堅嵌に着合して使用されるもので、収納時は、螺旋部４を天秤本体８の一部に設けたクランク状部７に移動して、少し回動する事のより、天秤の枝２を天秤本体８に平行に出来る様にしたもので、環１０はオモリに埋め込まずに、汎用のオモリを付けて使用する事も出来るものである。
【符号の説明】１    ハリス環      ２    枝      ３    オモリ      ４    螺旋部
５    折り返し部    ６    環      ７    クランク部  ８    天秤本体
９    道糸環
【図１】
0003217517.tif 000003
【図２】
0003217517.tif 000004
(57)【要約】      （修正有）【課題】製品の均一化とエンドユーザーにおいても専門技術を必要とすることなく最終製品が出来る積層組立式ソファを提供する。【解決手段】積層組立式ソファは、座面部３と、座面部３に設置されるアーム部１と、座面部３に設置される背もたれ部２と、座面部３に設置されるクッション部Ａ〜Ｄと備え、座面部３、背もたれ部２、アーム部１及びクッション部Ａ〜Ｄは、パーツ化されているとともに、座面部３及び／又は背もたれ部２の内部クッションを積層化し、仕様デザインに応じたカバーを被せることを特徴とする。本考案は、デザイン仕様の多様性とデリバリー簡易化と組立の簡略化を促進する。【選択図】図１
0003217516.tif 000002
【実用新案登録請求の範囲】
【請求項１】
ソファ各部位、仕様を総てパーツ化製品化したものに仕様デザインに応じたカバーを被せる。
【考案の詳細な説明】
【技術分野】
【０００１】ソファ製作、デリバリーの簡素化、デザイン及びエンドユーザーの要求にきめ細かく対応、在庫管理、製作管理、品質管理に関するものである。
【背景技術】
【０００２】ソファ製作現場、販売現場、流通現場に於いて管理の簡素化、品質の向上を促進するものである。組立が困難であったり仕様変更等専門技術を必要とした為積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
ソファ仕様各部位をパーツ化製品化することによりデザイン仕様等の変更製作現場エンドユーザー両方で簡略化した積層組立式ソファ。
【考案が解決しようとする課題】
【０００５】ソファの各部位仕様をパーツ化、製品化することにより製品の均一化とエンドユーザーにおいても専門技術を必要とすることなく最終製品が出来る。
【課題を解決するための手段】
【０００６】考案の概要で加工されたものを座面部、背もたれ部、アーム部等にパーツ化、製品化し内部クッションもパーツ化製品化を行い最終的に積層化されたものに好みのデザイン仕様のカバーを被せる事により多様な形状のソファになる。
【考案の効果】
【０００７】ソファの製作に専門技術をを必要としない、狭い通路、階段の搬入デリバリーの簡易化、各パーツの組み合わせでデザイン仕様の多様化、製品の均一化を促進するものである。
【図面の簡単な説明】
【０００８】
【図１】  詳細図である。
【考案を実施するための形態】
【０００９】本考案はパーツ状の形状であるため、目的、仕様に応じたパーツを組み立てる。
【実施例】
【００１０】座面部にアーム部、背もたれ部クッション部等を設置し、デザイン仕様に応じたカバーを被せる。
【図１】
0003217516.tif 000003
【手続補正書】
【提出日】平成30年4月2日(2018.4.2)
【手続補正１】
【補正対象書類名】実用新案登録請求の範囲
【補正対象項目名】全文
【補正方法】変更
【補正の内容】
【実用新案登録請求の範囲】
【請求項１】
ソファ各部位図１参照、座面部にアームと背もたれ部を金具、ボルト、ナット等で組立、座面部、背もたれ部はＡ、Ｂ、Ｃ、Ｄ等の積層クッションの組み合わせで硬さデザイン等が選択できる総てパーツ化製品化したものに仕様デザインに応じたカバーを被せることを特徴とする積層組立式ソファ。
【手続補正書】
【提出日】平成30年5月31日(2018.5.31)
【手続補正１】
【補正対象書類名】実用新案登録請求の範囲
【補正対象項目名】全文
【補正方法】変更
【補正の内容】
【実用新案登録請求の範囲】
【請求項１】
積層組立式ソファにおいて、
座面部と、
前記座面部に設置されるアーム部と、
前記座面部に設置される背もたれ部と、
前記座面部に設置されるクッション部と備え、
前記座面部、前記背もたれ部、前記アーム部及び前記クッション部は、パーツ化されているとともに、前記座面部及び／又は前記背もたれ部の内部クッションを積層化し、仕様デザインに応じたカバーを被せることを特徴とする積層組立式ソファ。
(57)【要約】      （修正有）【課題】折って切手を貼ったらそのまま送れる手裏剣の形になる便せん型の紙を提供する。【解決手段】２枚の長編：短編が２：１の割合になっている方形上のシートで表の短編の半分に折り線が有り、折り線の上下の一方に斜めの折り線がいくつか並び、谷折りと山折りの区別がつきやすく、折り方の解説絵も付いた手裏剣の形に折りやすいように解説がついていて、裏面は便せんとわかる模様が書いてあり折り上げると手裏剣の形になる。シート上に切手を貼る場所、郵便番号記載欄、宛先住所記載欄、宛名記載欄、送り主の記載欄があり分かりやすく記入できる図柄を用いた、そのまま切手を貼って送れる。【選択図】図５
0003217515.tif 000002
【実用新案登録請求の範囲】
【請求項１】
２枚の長編：短編が２：１の割合になっている（又は折ると２：１の割合になるものも含む）、方形上のシートで表の短編の半分に折り線１が有り、上下の一方に斜めの折り線がいくつか並び、谷折りと山折りの区別がつきやすく、折り方の解説絵も付いた手裏剣の形に折りやすいように解説がついていて、裏面は便せんとわかる模様が書いてあり折り上げると手裏剣の形になる、便せん型の紙
【請求項２】
シート上に切手を貼る場所、郵便番号記載欄、宛先住所記載欄、宛名記載欄、送り主を記載欄があり分かりやすく記入できる図柄を用いた、そのまま切手を貼って送れる請求項１に記載の便せん型の紙。
【考案の詳細な説明】
【技術分野】
【０００１】  本考案は表面に折り紙の手裏剣を折りやすい折り線や解説図がつき、また折りあがると切手を貼る場所、郵便番号、宛先住所、宛名、送り主を記入する欄があり分かりやすく記入されている図柄を用い、裏面を便せんになる図柄を用いてある２枚の紙で、折って切手を貼ったらそのまま送れる手裏剣型のおもしろレター”忍者レター”
【背景技術】
【０００２】従来の折り紙の手裏剣は正方形のものを２枚もちいて折るもので便せんにする機能はない。従来の便せんにもまた、手裏剣型に折って送る発想はない。【０００３】しかしながら▲１▼従来の折り紙にはそもそも折り線や解説はついていないし、幼い子や折り紙に慣れていない外国人などは上手く手裏剣を折れない▲２▼手裏剣を折れたとしても折り紙の手裏剣を手紙にする発想もない▲３▼折り紙の手裏剣を手紙にしようとしても、切手や宛先の書き方等で上手く郵便で送れるか不安  という欠点があった。
【考案の概要】
【考案が解決しようとする課題】
【０００５】▲１▼手裏剣のおり方が分かりにくく、幼い子や折り紙に慣れていない外人などは上手く手裏剣を折れない▲２▼手裏剣を折れたとしても折り紙の手裏剣を手紙にする発想もない▲３▼折り紙の手裏剣を手紙にしようとしても、切手や宛先の書き方等で上手く郵便で送れるか不安
と言う欠点があるが、本考案は、以上のような従来の欠点に鑑み、▲１▼手裏剣を折りやすく▲２▼手裏剣を手紙にする模様を用い▲３▼郵便として問題なく送れるデザインを提供する事を目的としている。
【課題を解決するための手段】
【０００６】▲１▼表面に折り紙の手裏剣を折り易い折り線や図解による解説をつけ
▲２▼裏面に便せん模様をつけて、表面には、折りあがるとｉ切手を貼る場所、ｉｉ郵便番号、ｉｉｉ宛先住所、ｉｖ宛名、ｖ送り主を記入する欄があり分かりやすく記入されている図柄を用いる
▲３▼実際に郵便局とも相談し、何度か実験的にお送りし問題なく送れる完成体を用いた。
【考案の効果】
【０００７】  まずは▲１▼圧倒的に手裏剣を折りやすくなり、子どもや外国人でも初めての人でも折る事が出来るようになった。そして▲２▼手裏剣を便せんと封筒の要素を持った手紙にする事が出来た。▲３▼さらに安心して郵便物として郵送することができた。
【図面の簡単な説明】
【０００８】
【図１】忍者レター表１
【図２】忍者レター表２
【図３】忍者レター裏
【図４】忍者レター完成図
【図５】忍者レター解説図
【図６】符号を表す図
【考案を実施するための形態】
【０００９】  上手く設計し印刷された２枚の長方形の紙を印刷されている解説や折り線にのっとって織り上げていくと手裏剣型の封筒兼便せんが出来上がる。
【実施例】
【００１０】紙に書かれた［Ａ折り線］と［Ｂ紙面に記載されている解説図］を元に、［Ｃ説明図］のように折織り上げていくと、手裏剣の形をした手紙が出来上がる。【００１１】［Ｄ切手を貼る場所］、［Ｅ郵便番号記載欄］、［Ｆ宛先住所記載欄］、［Ｇ宛名記載欄］、［Ｈ送り主記載欄］が図のように配置され折りあがると切手を貼って郵送できる構図になっている。
【符号の説明】
【００１２】Ａ折りせん
Ｂ紙面に記載されてる解説図
Ｃ別添付の説明図
Ｄ切手を貼る場所
Ｅ郵便番号記載欄
Ｆ宛先住所記載欄
Ｇ宛名記載欄
Ｈ送り主記載欄
【図１】
0003217515.tif 000003
【図２】
0003217515.tif 000004
【図３】
0003217515.tif 000005
【図４】
0003217515.tif 000006
【図５】
0003217515.tif 000007
【図６】
0003217515.tif 000008
【手続補正書】
【提出日】平成30年5月29日(2018.5.29)
【手続補正１】
【補正対象書類名】実用新案登録請求の範囲
【補正対象項目名】全文
【補正方法】変更
【補正の内容】
【実用新案登録請求の範囲】
【請求項１】
２枚の長編：短編が２：１の割合になっている方形上のシートで表の短編の半分に折り線１が有り、折り線の上下の一方に斜めの折り線がいくつか並び、谷折りと山折りの区別がつきやすく、折り方の解説絵も付いた手裏剣の形に折りやすいように解説がついていて、裏面は便せんとわかる模様が書いてあり折り上げると手裏剣の形になる、便せん型の紙。
【請求項２】
シート上に切手を貼る場所、郵便番号記載欄、宛先住所記載欄、宛名記載欄、送り主の記載欄があり分かりやすく記入できる図柄を用いた、そのまま切手を貼って送れる請求項１に記載の便せん型の紙。
(57)【要約】      （修正有）【課題】ギター用の普面台を提供する。【解決手段】ギター本体の頭部に取りつける譜面台において、ギター本体の頭部を挟み込む部分を有する万力本体１と、鉄板３と、万力本体１及び鉄板３に接続される丸鋼材２とを備え、挟み込む部分にはゴム４を設ける。【選択図】図１
0003217512.tif 000002
【実用新案登録請求の範囲】
【請求項１】
ギター本体の頭部に取りつける普面台です
全鋼鉄の一部に手廻し万力を設け、絞めると３点のゴムに伝わり強力な圧接力を呼び完全に固定します。着脱もくる、くる廻すだけで手早い
ギターそのものと普面台は完全に一体化します。
【考案の詳細な説明】
【技術分野】
【０００１】  本考案は、万力によりゴムの高反発力の応用。
【背景技術】
【０００２】  練習の場所を選ばない、座る、立つ、踊る、車の中、ベンチ、階段。
【考案の概要】
【考案が解決しようとする課題】
【０００３】  従来の製品は固定されない、本品はギター・普面が完全に一体化。
【課題を解決するための手段】
【０００４】  本考案は着脱部分に高反発ゴムを使用、ギターにもキズ付かず、全部問題点解決。
【考案の効果】
【０００５】  本考案は従来の製品に対して固定力、強度、風力、一体化に成功。
【図面の簡単な説明】
【０００６】
【図１】  本考案の正面（上）  取付図（下）
【考案を実施するための形態】
【０００７】  普面台を、ギター頭部最先端のウラ側に回転部にして廻す。
【実施例】
【０００８】  図１から、１は、鉄制万力、２は丸鉄、３は鉄板、４、ゴム  ５、プラスチック
【産業上の利用可能性】
【０００９】  世界に広がる可能性が有る。
【符号の説明】
【００１０】１、万力本体
２、丸鋼材
３、鉄板（ボルト孔２ヶ所）
４、ゴム
５、プラスチック（ボルト孔２ヶ所）
【図１】
0003217512.tif 000003
【手続補正書】
【提出日】平成30年1月4日(2018.1.4)
【手続補正１】
【補正対象書類名】実用新案登録請求の範囲
【補正対象項目名】全文
【補正方法】変更
【補正の内容】
【実用新案登録請求の範囲】
【請求項１】
ギター本体の頭部に着脱可能な、ギター普面台の制作加工について。
最初の着脱部分には、鉄製の手廻し万力を使用、通常締め側と、締め受付側の２点だが、受け側に、もう１点を加え、３点張りとし、強い揺れにも、個定される。その３点の圧接部には、円形１センチ鉄製、同サイズの凹みのある、直径３センチの円筒形、高反発ゴムを埋め込むことにより、強く個定される。またギター本体も痛めずに済む。
つぎに、その万力、下部から、Ｓ字形に曲げられた丸形鋼、直径６ミリ、はアーク溶接で完全に継げる。また、丸型鋼のもう一方側に溶接されるのは、鉄板で２箇所に孔があるものを使用。たて、よこ、３センチ、厚み、２ミリである。
鋼材としての最終部分で普面置台とする。
置台と同寸、同孔のボルト孔に、基本形としてＢ５サイズのプラスチック製を普面台として、ボルトで取めると完成である。
このように姿勢が変っても、目線の長さと、高さが変わらずに、演奏の練習ができることを特徴とする、教材としてのギター普面台である。
【手続補正書】
【提出日】平成30年3月26日(2018.3.26)
【手続補正１】
【補正対象書類名】実用新案登録請求の範囲
【補正対象項目名】全文
【補正方法】変更
【補正の内容】
【実用新案登録請求の範囲】
【請求項１】
ギター頭部に着脱も固定もされる譜面台を直接取付けられるのが本考案である。
「ギター譜面台において、
（１）鋼板をプレスされた手廻し万力は操作も簡単で安易である。
（２）球状のゴムを万力の圧接部に埋め込む。
（３）棒鋼をＳ字形に加工し万力側から譜面台への支持と導引をする。
（４）鋼板の長方形で孔有り加工としてつぎのプラスチッチ譜面台の受口となる
以上の（１）〜（４）構成からなることを特徴とするギター譜面台。」
〔考案の名称〕ギター譜面台
〔技術分野〕
（５）
本考案は鋼材の種類から部品に合せ選び組み合せに係る。
〔背景技術〕
（６）
譜面の前から動けないギターの練習が歩行もできる練習  演奏が可能。
〔考案が解決しょうとする課題〕
ギターの練習では従来のスタンド型は設置や収納やスペース等時間的労働的負担である。従って着脱により前述の欠点をなくし解決しようとするものである。
【手続補正書】
【提出日】平成30年5月25日(2018.5.25)
【手続補正１】
【補正対象書類名】実用新案登録請求の範囲
【補正対象項目名】全文
【補正方法】変更
【補正の内容】
【実用新案登録請求の範囲】
【請求項１】
ギター本体の頭部に取りつける譜面台において、
ギター本体の頭部を挟み込む部分を有する鉄制万力と、
鉄板と、
鉄制万力及び鉄板に接続される丸鉄とを備え、
前記挟み込む部分にはゴム設けることを特徴とする譜面台。